(57)【要約】      （修正有）【課題】リボン及びスティックを分離することなく一緒に保管することができ、リボン等を使用する際や保管の際に要する時間を短縮することのできる新体操用リボンホルダを提供する。【解決手段】帯状に長い支持板１１と、スティックＳを挿入する挿入管１２とによって一体的に構成し、挿入管１２は支持板１１の幅方向の各端部にあって、支持板１１の長手方向に延在するように配置されており、支持板１１は、挿入管１２の間に、長手方向にリボンＲを巻き取るための巻取部１１ａを有するように構成している。【選択図】図１
0003186238.tif 000002
【実用新案登録請求の範囲】
【請求項１】
スティックの先端部に着脱可能に取り付けられたリボンを当該スティックと共に保管するための新体操用リボンホルダであって、
帯状に長く形成された支持板と、スティックを挿入する挿入管とによって一体的に構成されており、
前記挿入管は、前記支持板の幅方向の各端部にあって、当該支持板の長手方向に延在するように配置されており、
前記支持板は、前記挿入管の間に、長手方向に前記リボンを巻き取るための巻取部を有していることを特徴とする新体操用リボンホルダ。
【請求項２】
前記挿入管は、前記スティックの長さと略同等の長さに形成されており、
前記支持板は、長手方向の各端面における少なくとも前記巻取部の各端面が前記挿入管の各端面より長手方向の内側に位置するように形成されていることを特徴とする請求項１に記載の新体操用リボンホルダ。
【請求項３】
前記各挿入管のうち一方の挿入管は、前記支持板における表裏の面のうち一方の面側に配置され、他方の挿入管は、前記支持板の他方の面側に配置されていることを特徴とする請求項１又は２に記載の新体操用リボンホルダ。
【請求項４】
前記支持板及び挿入管は、プラスチック材料により形成されていることを特徴とする請求項１〜３の何れかに記載の新体操用リボンホルダ。
【請求項５】
前記支持板に巻き付けられたリボンの上から前記長手方向に巻き付けることで、当該リボンを保持する固定バンドを備えていることを特徴とする請求項１〜４の何れかに記載の新体操用リボンホルダ。
【考案の詳細な説明】
【技術分野】
【０００１】
本考案は、新体操の競技種目の一つであるリボンにおいて用いるリボン及びこれを先端部に取り付けるスティックを保管するための新体操用リボンホルダに関する。
【背景技術】
【０００２】
この種の新体操用リボンホルダとしては、リボンについては布製の帯状に長いもの（例えば、長さ６．１ｍ、幅５ｃｍ）であることから円形状に巻き取って保管するリボンホルダが提供されており、またスティックについてはスティックケースが提供されている。
【考案の概要】
【考案が解決しようとする課題】
【０００３】
しかしながら、上記新体操用リボンホルダにおいては、リボンとスティックとを連結した状態で保管するのに適したものではなく、それぞれを分離した状態で保管することになるため、演技や練習等の開始の際にはリボンをスティックに連結し、その終了の際にはリボンをスティックから取り外すといった面倒な作業が必要になっていた。また、リボンホルダにおいては、リボンが６ｍ以上と長いことから、リボンを円形状に巻き取るのに時間がかかるという欠点があった。
【０００４】
本考案は、上記事情に鑑みてなされたものであり、リボン及びスティックを分離することなく一緒に保管することができ、リボン等を使用する際や保管の際に要する時間を短縮することのできる新体操用リボンホルダを提供することを課題としている。
【課題を解決するための手段】
【０００５】
上記課題を解決するために、請求項１に記載の考案は、スティックの先端部に着脱可能に取り付けられたリボンを当該スティックと共に保管するための新体操用リボンホルダであって、帯状に長く形成された支持板と、スティックを挿入する挿入管とによって一体的に構成されており、前記挿入管は、前記支持板の幅方向の各端部にあって、当該支持板の長手方向に延在するように配置されており、前記支持板は、前記挿入管の間に、長手方向に前記リボンを巻き取るための巻取部を有していることを特徴としている。
【０００６】
請求項２に記載の考案は、請求項１に記載の考案において、前記挿入管は、前記スティックの長さと略同等の長さに形成されており、前記支持板は、長手方向の各端面における少なくとも前記巻取部の各端面が前記挿入管の各端面より長手方向の内側に位置するように形成されていることを特徴としている。
【０００７】
請求項３に記載の考案は、請求項１又は２に記載の考案において、前記各挿入管のうち一方の挿入管は、前記支持板における表裏の面のうち一方の面側に配置され、他方の挿入管は、前記支持板の他方の面側に配置されていることを特徴としている。
【０００８】
請求項４に記載の考案は、請求項１〜３の何れかに記載の考案において、前記支持板及び挿入管は、プラスチック材料により形成されていることを特徴としている。
【０００９】
請求項５に記載の考案は、請求項１〜４の何れかに記載の考案において、前記支持板に巻き付けられたリボンの上から前記長手方向に巻き付けることで、当該リボンを保持する固定バンドを備えていることを特徴としている。
【考案の効果】
【００１０】
請求項１に記載の考案によれば、スティックの基端部を挿入管の一端面側から挿入することにより、当該スティックが挿入管内に格納された状態になる。即ち、スティックは、先端部にリボンを取り付けた状態のままでも、挿入管に簡単に格納することができる。また、挿入管は支持板の幅方向の各端部にあって当該支持板の長手方向に延在するように設けられているので、挿入管内のスティックの先端部に取り付けたリボンをその挿入管の間の巻取部に長手方向に簡単に巻き付けることができる。
【００１１】
従って、保管の際や、使用の際にスティックからリボンを分離したり、連結したりする面倒な作業が不要になる。また、リボンを巻取部の長手方向に巻き付けることになるので、その巻き付けに要する回数を極めて少なくすることができ、簡単かつ短時間でリボンを保管することができる。また、リボンを使用する際にも、簡単かつ短時間で巻きほぐすことができる。即ち、リボン等を使用する際や保管の際に要する時間を短縮することができる。
【００１２】
請求項２に記載の考案によれば、挿入管がスティックの長さと略同等の長さに形成されているので、スティックを挿入管内に確実に収納することができる。また、支持板の長手方向における少なくともリボンの巻取部の各端面が挿入管の各端面より長手方向の内側に位置するように形成されているので、挿入管の各端部がリボンを保持するガイドとなる。このため、巻取部の各端面において、リボンが支持板の幅方向の外側にずれ落ちるのを防止することができる。
【００１３】
請求項３に記載の考案によれば、一方の挿入管が支持板の一方の面側に配置され、他方の挿入管が支持板の他方の面側に配置されているので、支持板の一方の面においては、幅方向の一方の端部に配置された挿入管によってリボンが当該一方の端部側から幅方向の外側にずれ落ちるのを防止することができ、支持板の他方の面においては、幅方向の他方の端部に配置された挿入管によってリボンが当該他方の端部側から幅方向の外側にずれ落ちるのを防止することができる。この結果、支持板の長手方向の中間部においても、リボンが支持板の幅方向の外側にずれ落ちるのを防止することができる。
【００１４】
請求項４に記載の考案によれば、支持板及び挿入管がプラスチック材料により形成されており、柔軟性を有することから、衝突等による怪我の発生を極力低減することができる。しかも、携帯用や保管用等の袋やケース等に収容する際にはそのケース等の内面に倣うように支持板等が弾性変形することになることから、コンパクトな袋やケース等にも無理なく容易に収納することができる。また、支持板と各挿入管とを接着や溶接等によって容易に一体化することができる。更に、支持板及び各挿入管を、押し出し成形等により初めから一体化したものとして得ることもできる。
【００１５】
請求項５に記載の考案によれば、支持板に巻き取られた状態のリボンの上から長手方向に巻き付け、これによりリボンを支持板に保持する固定バンドを備えているので、リボンが支持板から巻きほぐされるのを確実に防止することができる。また、リボンの先端部がめくれ上がるのも防止することができるので、携帯用や保管用等の袋やケース等に容易に収納することができる。
【図面の簡単な説明】
【００１６】
【図１】本考案の一実施例として示した新体操用リボンホルダに関する図であって、（ａ）は支持板及び各挿入管を一体化してなる新体操用リボンホルダを示す正面図であり、（ｂ）は一方の挿入管に挿入するスティック及びそのスティックの先端部にストリングを介して着脱自在に取り付けられたリボンを示す正面図であり、（ｃ）は他方の挿入管に挿入するスティック及びそのスティックの先端部にストリングを介して着脱自在に取り付けられたリボンを示す正面図であり、（ｄ）固定バンドの正面図であり、（ｅ）は固定バンドの側面図である。
【図２】同新体操用リボンホルダの先端部（長手方向の一方の端面側の部分）を示す要部破断正面図である。
【図３】同新体操用リボンホルダにおける支持板及び挿入管の平面図である。
【図４】同新体操用リボンホルダにおける支持板を示す正面図である。
【図５】同新体操用リボンホルダにおける支持板及び挿入管の他の例として示した平面図である。
【考案を実施するための形態】
【００１７】
本考案を実施するための形態を実施例に基づいて詳細に説明する。
【実施例】
【００１８】
この実施例で示す新体操用リボンホルダ１は、図１に示すように、スティックＳの先端部にストリング（リボンジョイント）Ｊを介して着脱可能に取り付けられたリボンＲを当該スティックＳと共に保管するようになっている。
【００１９】
即ち、新体操用リボンホルダ１は、帯状に長く形成された四角形状の支持板１１と、スティックＳを挿入する挿入管１２とによって一体的に構成されている。挿入管１２は、支持板１１の幅方向の各端部に位置し、当該支持板１１の長手方向に延在するように配置されている。支持板１１は、２つの挿入管１２の間が長手方向にリボンＲを巻き取るための巻取部１１ａ（図1及び図４において斜線で示す部分）となっている。
【００２０】
また、挿入管１２は、図２及び図３に示すように、直線状に延在する断面円形の筒状に形成されたものであり、スティックＳの長さよりわずかに長く形成されている。即ち、挿入管１２はスティックＳと略同等の長さに形成されている。挿入管１２の内径は、スティックＳの最大径部（取っ手部）が挿入可能なように、その最大径部の径よりわずかに大きく設定されている。
【００２１】
支持板１１における長手方向の各端面１１ｂのうち巻取部１１ａに対応する位置の各端面１１ｃは、図２に示すように、挿入管１２の各端面１２ａよりその支持板１１の長手方向の内側に位置するように形成されている。
【００２２】
また、支持板１１における長手方向の一方の端面１１ｂから他方の端面１１ｂまでの寸法は、挿入管１２の長さと同等に形成されている。このため、支持板１１における長手方向の各端部には、図２及び図４に示すように、巻取部１１ａに対応する部位に凹部１１ｄが形成され、凹部１１ｄの両側に凸部１１ｅが形成された状態になっている。即ち、巻取部１１ａの端面１１ｃは、凹部１１ｄの底に位置し、支持板１１における巻取部１１ａ以外の部分の端面１１ｂは、凸部１１ｅの先端に位置している。また、凸部１１ｅは、その幅が挿入管１２の外径と同等に形成されている。
【００２３】
更に、一方の挿入管１２は、図３に示すように、支持板１１における表裏の面１１ｆ、１１ｇのうち一方の面１１ｆ側に配置され、他方の挿入管１２は、支持板１１の他方の面１１ｇ側に配置されている。そして、これらの支持板１１及び挿入管１２は、プラスチック材料（例えば塩化ビニル）により形成されていると共に、接着剤によって一体化されたものとなっている。なお、巻取部１１ａは、各端面１１ｃ、１１ｃ、一方の面１１ｆ及び他方の面１１ｇを外周面とするリボンＲを巻き取るための心部に相当する。
【００２４】
支持板１１と各挿入管１２との一体化は、挿入管１２の外周面と支持板１１とが接する部分の両側に一対の支持部材１３を挟み込んだ上で、当該支持部材１３と共に、支持板１１と挿入管１２とを接着することによって行なっている。支持部材１３は、プラスチック（例えば塩化ビニル）製の断面円形状の軸材によって形成されたものであり、挿入管１２が支持板１１上を転がる方向に移動するのを防止して、支持板１１と挿入管１２との接着性を高める効果がある。なお、支持部材１３は、挿入管１２と同等の長さに形成されている。
【００２５】
支持板１１に巻き付けられたリボンＲは、図1に示すように、固定バンド１４によって、その巻き付けられた状態に保持されるようになっている。固定バンド１４は、ゴム弾性を有する所定の幅の帯材を環状に形成したものであり、リボンＲの上から長手方向に巻き付けることで、当該リボンＲを所定の圧迫力をもって支持板１１に固定するようになっている。
【００２６】
上記のように構成された新体操用リボンホルダ１においては、スティックＳの基端部を挿入管１２の一方の端面１２ａ側から挿入することにより、当該スティックＳが挿入管１２内に格納された状態になる。即ち、スティックＳは、先端部にリボンＲを取り付けた状態のままでも、挿入管１２に簡単に保管することができる。また、挿入管１２は支持板１１の幅方向の各端部にあって当該支持板１１の長手方向に延在しており、挿入管１２の間には巻取部１１ａが設けられているので、挿入管１２内のスティックＳの先端部に取り付けたリボンＲを巻取部１１ａの長手方向に簡単に巻き付けることができる。
【００２７】
従って、保管の際や、使用の際にスティックＳからリボンＲを分離したり、連結したりする面倒な作業が不要になる。また、リボンＲを巻取部１１ａの長手方向に巻き付けることになるので、その巻き付けに要する回数を極めて低減することができ、簡単かつ短時間でリボンＲを保管することができる。また、リボンＲを使用する際にも、簡単かつ短時間で巻きほぐすことができる。即ち、リボンＲ等を使用する際や保管の際に要する時間を短縮することができる。
【００２８】
また、挿入管１２がスティックＳの長さよりわずかに長く形成され（即ち、スティックＳの長さと略同等の長さに形成され）ているので、スティックＳを挿入管１２内に確実に収容することができる。また、巻取部１１ａの各端面１１ｃが挿入管１２の各端面１２ａより長手方向の内側に位置しているので、挿入管１２の各端部がガイドとなって、リボンＲが巻取部１１ａの各端面１１ｃ、１１ｃから支持板１１の幅方向の外側にずれ落ちるのを防止することができる。なお、各凸部１１ｅも、リボンＲが幅方向の外側へずれ落ちるのを防止するガイドとなる。
【００２９】
更に、一方の挿入管１２が支持板１１の一方の面１１ｆ側に配置され、他方の挿入管１２が支持板１１の他方の面１１ｇ側に配置されているので、支持板１１の一方の面１１ｆにおいては、幅方向の一方の端部に配置された挿入管１２によってリボンＲが当該一方の端部側から幅方向の外側にずれ落ちるのを防止することができ、支持板１１の他方の面においては、幅方向の他方の端部に配置された挿入管１２によってリボンＲが当該他方の端部側から幅方向の外側にずれ落ちるのを防止することができる。この結果、支持板１１の長手方向の中間部においても、巻き取ったリボンＲが当該支持板１１の幅方向の外側にずれ落ちるのを防止することができる。
【００３０】
しかも、支持板１１及び挿入管１２がプラスチック材料により形成されており、柔軟性を有することから、衝突等による怪我の発生を極力低減することができる。しかも、携帯用や保管用等の袋やケース等に収容する際にはそのケース等の内面に倣うように支持板１１等が弾性変形することになることから、コンパクトな袋やケース等にも無理なく容易に収納することができる。更に、支持板１１と各挿入管１２とを接着や溶接等によって容易に一体化することができる。
【００３１】
また、リボンＲを支持板１１に保持する固定バンド１４を備えているので、リボンＲが支持板１１から巻きほぐされるのを確実に防止することができる。また、リボンＲの先端部がめくれ上がるのも防止することができるので、当該新体操用リボンホルダ１を携帯用や保管用等の袋やケース等に容易に収納することができる。
【００３２】
なお、上記実施例においては、挿入管１２として円筒状に形成したものを示したが、多角筒状に形成したものであってもよい。例えば図５（ａ）に示すように、正方形状の断面を有する四角筒状の挿入管１２を用いた場合には、挿入管１２と支持板１１との接着性や溶接性を向上させることができる。
【００３３】
また、支持板１１及び各挿入管１２については、図５（ｂ）に示すように、押し出し成形等により初めから一体化した断面形状のもので形成してもよい。
【符号の説明】
【００３４】
１  新体操用リボンホルダ
１１  支持板
１１ａ  巻取部
１１ｂ  支持板の長手方向の端面
１１ｃ  支持板における巻取部の長手方向の端面
１１ｆ  一方の面
１１ｇ  他方の面
１２  挿入管
１２ａ  挿入管の長手方向の端面
１４  固定バンド
Ｊ  ストリング
Ｒ  リボン
Ｓ  スティック
【図１】
0003186238.tif 000003
【図２】
0003186238.tif 000004
【図３】
0003186238.tif 000005
【図４】
0003186238.tif 000006
【図５】
0003186238.tif 000007